(57)【特許請求の範囲】
【請求項１】
ビデオ信号又はデータ信号である高域信号にサーボ用のパイロット信号、トラック番号やタイムコード用のサブコード信号、又は音声信号である低域信号を混合した情報信号を記録／再生が可能な磁気ヘッドを用いて磁気記録媒体に記録する記録手段と、
上記記録／再生が可能な磁気ヘッドより再生感度が高く、かつ単一素子シールド型の再生専用の磁気ヘッドと上記記録／再生が可能な磁気ヘッドとを用いて上記磁気記録媒体から上記情報信号を再生する再生手段とを備え、
上記再生手段は、さらに第１のフィルタ及び第２のフィルタを備え、再生時に、上記再生専用の磁気ヘッドで上記磁気記録媒体から再生した上記情報信号から上記第１のフィルタにより周波数スペクトラムが一定周波数以上の帯域のビデオ信号又はデータ信号である高域信号を取り出すと共に、上記記録／再生が可能な磁気ヘッドで上記磁気記録媒体から再生した上記情報信号から上記第２のフィルタにより上記低域信号を取り出すことを特徴とする磁気記録再生装置。
【請求項２】
上記再生専用の磁気ヘッドは磁気抵抗効果型ヘッドであり、上記記録／再生が可能な磁気ヘッドはリング型ヘッドであることを特徴とする請求項１記載の磁気記録再生装置。
【発明の詳細な説明】
【０００１】
【発明の属する技術分野】
本発明は、再生専用の磁気ヘッドと記録再生が可能な磁気ヘッドとを用いて情報信号を磁気記録媒体に記録／再生する磁気記録再生装置に関する。
【０００２】
【従来の技術】
磁気抵抗効果（ＭＲ）を利用した単一素子シールド型ＭＲヘッドは、リングヘッドに比べて再生感度は高いが、磁気テープとの摩擦などによる熱から発生する熱雑音やバルクハウゼン雑音等により、主に低周波帯域のノイズが大きくなる。このため、従来の磁気テープ記録再生装置では、再生用の単一素子シールド型ＭＲヘッドの代わりにヨーク型ＭＲヘッドを用いたり、再生用に単一素子シールド型ＭＲヘッドを用いるときには記録部で予め信号変調により記録信号の低域成分を抑圧し、さらに再生部で高域通過フィルタによりノイズ成分を除去する等の方法が採用されていた。
【０００３】
例えば、単一素子シールド型ＭＲヘッドを再生部で用いる磁気テープ記録再生装置について、図３を用いて説明する。この磁気テープ記録再生装置４０は、ビデオ信号をディジタル変調して磁気テープ４１に記録する記録部５０と、この記録部５０により記録されたディジタルビデオデータを磁気テープ４１から再生してビデオ信号を出力する再生部６０とを備えている。
【０００４】
記録部５０は、入力端子５１から入力したビデオ信号入力のサンプリング周波数をサンプリング周波数変換回路５２で変換し、この周波数変換出力の帯域を帯域圧縮回路５３で圧縮し、量子化した後、誤り訂正符号化回路５４で誤り訂正符号等を付加し、さらにチャネルコーディング回路５５で８−１０変換符号等の信号変調を施して低周波成分を抑圧してから、記録アンプ５６で増幅して、リングヘッド５７により磁気テープ４１に記録する。
【０００５】
また、再生部６０は、テープに記録された信号を単一素子シールド型ＭＲヘッド６１により再生し、再生アンプ６２で増幅し、等化検出回路６３で等化検出した後、誤り訂正回路６４で誤り訂正してから、帯域伸長回路６５で帯域伸長し、サンプリング周波数変換回路６６でのサンプリング周波数変換を経てビデオ信号として出力端子６７から出力する。このように再生は、再生専用の上記ＭＲヘッド６１のみで行われる。したがって、再生で低周波帯域にノイズを発生してしまう場合には、再生アンプ６２からの再生出力に対して図示しないＨＰＦでノイズを除去する。ここで、除去された帯域は利用されない。
【０００６】
【発明が解決しようとする課題】
ところで、上記ヨーク型ＭＲヘッドは単一素子シールド型ＭＲヘッドに比べて構造が複雑でコストが高く、又、再生感度が低くＭＲ素子の特性を充分に活かしていない欠点があった。
【０００７】
また、図３に示したように、再生用の単一素子シールド型ＭＲヘッドを用いた、信号変調による方法では周波数帯域の低域部分を使用することが出来ないので周波数の利用効率が低く、磁気記録系を充分に有効利用していない欠点があった。
【０００８】
本発明は、上記実情に鑑みてなされたものであり、再生時にヘッドの特性により発生する低周波のノイズの影響受けることなく、周波数帯域を有効に活用することができる磁気記録再生装置の提供を目的とする。
【０００９】
【課題を解決するための手段】
本発明に係る磁気記録再生装置は、上記課題を解決するために、ビデオ信号又はデータ信号である高域信号にサーボ用のパイロット信号、トラック番号やタイムコード用のサブコード信号、又は音声信号である低域信号を混合した情報信号を記録／再生が可能な磁気ヘッドを用いて磁気記録媒体に記録する記録手段と、上記記録／再生が可能な磁気ヘッドより再生感度が高く、かつ単一素子シールド型の再生専用の磁気ヘッドと上記記録／再生が可能な磁気ヘッドとを用いて上記磁気記録媒体から上記情報信号を再生する再生手段とを備え、上記再生手段は、第１のフィルタ及び第２のフィルタを備え、再生時に、上記再生専用の磁気ヘッドで上記磁気記録媒体から再生した上記情報信号から上記第１のフィルタにより周波数スペクトラムが一定周波数以上の帯域のビデオ信号又はデータ信号である高域信号を取り出すと共に、上記記録／再生が可能な磁気ヘッドで上記磁気記録媒体から再生した上記情報信号から上記第２のフィルタにより上記低域信号を取り出す。
【００１０】
このため、再生専用のＭＲヘッドの熱雑音、バルクハウゼン雑音を避けながら周波数帯域を効率的に利用できる。
【００１１】
なお、上記再生専用の磁気ヘッドは磁気抵抗効果型ヘッドであり、上記記録／再生が可能な磁気ヘッドはリング型ヘッドである。
【００１２】
【発明の実施の形態】
以下、本発明に係る磁気記録再生装置の実施の形態について図面を参照しながら説明する。
【００１３】
図１に示すように、この実施の形態はビデオ信号をディジタル変調し、リングヘッド１９を用いて磁気テープ１に記録する記録部１０と、磁気テープ１からビデオ信号をリングヘッド１９及びＭＲヘッド３１を用いて再生する再生部３０とを備える磁気テープ記録再生装置５である。
【００１４】
記録部１０は、入力端子１１から入力したビデオ信号入力のサンプリング周波数をサンプリング周波数変換回路１２で変換し、この周波数変換出力の帯域を帯域圧縮回路１３で圧縮し、量子化した後、誤り訂正符号化回路１４で誤り訂正符号等を付加し、さらにチャネルコーディング回路１５で８−１０変換符号等を施して低周波成分を抑圧してから、混合器（ミックス）１６で後述する低周波信号と混合し、記録アンプ１７により増幅してから、記録／再生モードに応じてリングヘッド１９を記録用／再生用に切り換える切換スイッチ１８を介してリングヘッドである磁気ヘッド１９により磁気テープ１に記録する。
【００１５】
ここで、低周波信号としては、サーボ信号や、トラック番号やタイムコードなどのサブコード信号、音声信号などビデオ信号に比べると伝送レートの低い信号が考えられる。例えば通常のトラッキングサーボは両側の隣接トラックからのパイロット信号のクロストークがバランスが取れるようにテープ送り速度を制御するので、パイロット信号は媒体からの再生磁界が充分大きい低周波数を用いる。
【００１６】
次に、再生部３０は、再生をリングヘッド１９と再生専用のＭＲヘッド３１を使って行う。リングヘッド１９は、記録時には記録用の磁気ヘッドとして使用されるため、記録時と再生時で信号経路を上記スイッチ１８により切り換える。
【００１７】
先ず、ＭＲヘッド３１で再生された出力は再生アンプ３２で増幅された後、高域通過フィルタ（ＨＰＦ）３３で低域成分を除去され、高域の変調されたビデオ信号のみが取り出される。この後、等化検出回路３４で等化、検出され、誤り訂正回路３５で誤り訂正処理が施された後、帯域伸長回路３６で帯域伸長され、サンプリング周波数変換回路３７でのサンプリング周波数変換を経て出力端子３８からビデオ信号として出力される。
【００１８】
一方、リングヘッド１９で再生された出力は上記スイッチ１８を介して低域通過フィルタ（ＬＰＦ）３９で低域成分のみが取り出されて、出力端子４１から導出されえる。例えば低域に割り当てられた信号がサーボのパイロット信号の場合は、サーボ信号処理回路により両側の隣接トラックからのパイロット信号のバランスが取れるようにテープ送り速度が制御される。
【００１９】
リングヘッド１９のギャップ長は再生時のギャップ損失が大きくならないように充分に狭く選んでおく。通常は再生すべき信号の最短記録波長の１／２〜１／３に設定する。又、リングヘッド１９とＭＲヘッド３１のドラム上での取り付け高さは、両ヘッドが同じトラックをトレースするように、取り付け位置により高さを調整しておく。
【００２０】
ここで、チャネルコーディング１５からの出力に混合回路１６がどのように低周波信号を混合するかを説明しておく。先ず、２４−２５変換などにより、高域のデータ列にエクストラビットを挿入することにより、低域パイロット成分を生成する。また、高域のデータ信号に低域の信号を重畳し、高域信号をバイアスとして記録する。これは、主としてアナログ信号記録の場合に用いる。また、記録トラックを分割し、特定の部分に低周波信号を記録する等がある。何れの場合も記録信号の周波数スペクトラムは図２に示すようになる。
【００２１】
以上より、上記図１に示した磁気テープ記録再生装置５によれば、再生時にヘッドの特性により発生する低周波のノイズの影響を受けることなく、周波数帯域を有効に活用することができる。特に、サーボ信号など隣接トラックからのクロストークを検出する必要のある信号では、低域ノイズの影響を受けることなく、信号周波数を隣接クロストークが大きくなる低周波数に選ぶことができ、サーボ特性が改善される。
【００２２】
なお、ここではデジタル信号処理を行って記録再生する例を挙げたが、アナログＦＭ変調、低域変換色信号処理を用いて記録再生する場合にも本発明の方法は適用可能である。
【００２３】
【発明の効果】
本発明に係る磁気記録再生装置は、再生時にヘッドの特性により発生する低周波のノイズの影響を受けることなく、周波数帯域を有効に活用することができる。
【図面の簡単な説明】
【図１】本発明に係る磁気記録再生装置の実施の形態となる磁気テープ記録再生装置のブロック図である。
【図２】上記実施の形態による記録信号のスペクトル特性図である。
【図３】従来の磁気テープ記録再生装置のブロック図である。
【符号の説明】
１  磁気テープ、５  磁気テープ記録再生装置、１０  記録部、１９  リングヘッド、３１  ＭＲヘッド
【図１】
0003932663.tif 000002
【図２】
0003932663.tif 000003
【図３】
0003932663.tif 000004